(57)【特許請求の範囲】
【請求項１】
タッチ操作可能なディスプレイ上の電話の新着情報に関するソフトウェアキーへの接触操作が行われた場合に、当該接触操作に基づく処理を実行する非ロックモードと、当該接触操作に基づく処理を実行しないロックモードとを、切り替えて動作可能な携帯電話であって、
前記接触操作が行われたことの検出を行う検出部と、
前記検出部による検出が行われた際に、自携帯電話が前記ロックモードで動作している場合において、前記ロックモードから前記非ロックモードへの切替操作が前記検出から一定時間内に行われたとき、当該検出が行われた前記接触操作に基づき電話の新着情報の表示処理を実行し、前記接触操作から前記一定時間より長い時間を経過した後に、前記接触操作に基づく処理が実行されることを防ぐ実行部とを備える
ことを特徴とする携帯電話。
【請求項２】
タッチ操作可能なディスプレイ上の電話の新着情報に関するソフトウェアキーへの接触操作が行われた場合に、当該接触操作に基づく処理を実行する非ロックモードと、当該接触操作に基づく処理を実行しないロックモードとを、切り替えて動作可能な携帯電話における実行制御方法であって、
前記接触操作が行われたことの検出を行う検出ステップと、
前記検出ステップによる検出が行われた際に、自携帯電話が前記ロックモードで動作している場合において、前記ロックモードから前記非ロックモードへの切替操作が前記検出から一定時間内に行われたとき、当該検出が行われた前記接触操作に基づき電話の新着情報の表示処理を実行し、前記接触操作から前記一定時間より長い時間を経過した後に、前記接触操作に基づく処理が実行されることを防ぐ実行ステップとを含む
ことを特徴とする実行制御方法。
【請求項３】
タッチ操作可能なディスプレイ上の電話の新着情報に関するソフトウェアキーへの接触操作が行われた場合に、当該接触操作に基づく処理を実行する非ロックモードと、当該接触操作に基づく処理を実行しないロックモードとを、切り替えて動作可能な携帯電話におけるプロセッサに、実行制御処理を行わせるためのプログラムであって、
前記実行制御処理は、
前記接触操作が行われたことの検出を行う検出ステップと、
前記検出ステップによる検出が行われた際に、自携帯電話が前記ロックモードで動作している場合において、前記ロックモードから前記非ロックモードへの切替操作が前記検出から一定時間内に行われたとき、当該検出が行われた前記接触操作に基づき電話の新着情報の表示処理を実行し、前記接触操作から前記一定時間より長い時間を経過した後に、前記接触操作に基づく処理が実行されることを防ぐ実行ステップとを含む
ことを特徴とするプログラム。
【発明の詳細な説明】
【技術分野】
【０００１】
本発明は、非ロックモードとロックモードとに切り替え可能な携帯端末に関する。
【背景技術】
【０００２】
キー操作等の既定操作が行われた場合に、その既定操作に基づく処理を実行する非ロックモードと、その既定操作に基づく処理を実行しない、つまり、その既定操作に基づく処理の実行を抑止するロックモードとを、切り替え可能な携帯電話機等の携帯端末が知られている（例えば、特許文献１）。
このような携帯端末では、ロックモードで動作させることで、例えば、誤って押下されたキーに基づく処理が実行されてしまうことを防止することができる。
【先行技術文献】
【特許文献】
【０００３】
【特許文献１】特開２０１０−１８７２２８号公報
【特許文献２】特開２００２−１０１１６０号公報
【発明の概要】
【発明が解決しようとする課題】
【０００４】
上述のように、携帯端末がロックモードである場合に、ユーザがロックモードであることを忘れて、所望の処理をその携帯端末に実行させようと、既定操作を行ったとしても、その処理は実行されないことになる。そして、所望の処理が実行されないロックモードであったことに気づいたユーザは、その携帯端末をロックモードから非ロックモードへと切り替える操作を行った上で、再度、所望の処理を実行させるべく既定操作を行う必要があり、所望の処理を実行させるまでにかなりの時間がかかってしまうことになる。
【０００５】
そこで、本発明は係る問題に鑑みてなされたものであり、ロックモードである場合に行った操作に基づく処理をより迅速に実行できるようにした携帯端末を提供することを目的とする。
【課題を解決するための手段】
【０００６】
上記課題を解決するために、本発明に係る携帯電話は、タッチ操作可能なディスプレイ上の電話の新着情報に関するソフトウェアキーへの接触操作が行われた場合に、当該接触操作に基づく処理を実行する非ロックモードと、当該接触操作に基づく処理を実行しないロックモードとを、切り替えて動作可能な携帯電話であって、前記接触操作が行われたことの検出を行う検出部と、前記検出部による検出が行われた際に、自携帯電話が前記ロックモードで動作している場合において、前記ロックモードから前記非ロックモードへの切替操作が前記検出から一定時間内に行われたとき、当該検出が行われた前記接触操作に基づき電話の新着情報の表示処理を実行し、前記接触操作から前記一定時間より長い時間を経過した後に、前記接触操作に基づく処理が実行されることを防ぐ実行部とを備えることを特徴とする。
【発明の効果】
【０００７】
上記構成を備える本発明に係る携帯電話によれば、ロックモードである場合に行った前記接触操作に基づき電話の新着情報の表示処理をより迅速に実行することができる。
【図面の簡単な説明】
【０００８】
【図１】実施の形態に係る携帯電話機１００の開状態及び閉状態の外観を示す図
【図２】携帯電話機１００が閉状態である場合における各モードでの既定操作に基づく表示例を示す図
【図３】携帯電話機１００がロックモードである場合に既定操作が行われたときから一定時間内にロックモードから非ロックモードへの切替操作が行われた場合の表示例を示す図
【図４】携帯電話機１００の主要部の機能構成を示すブロック図
【図５】携帯電話機１００の実行部１７０による実行制御処理を示すフローチャート（図６に続く）
【図６】携帯電話機１００の実行部１７０による実行制御処理を示すフローチャート（図５へ戻る）
【図７】携帯電話機１００の制御部１６０による認証処理を示すフローチャート
【図８】携帯電話機２００の閉状態及び開状態の外観を示す図
【図９】変形例に係る携帯電話機が閉状態かつ非ロックモードでの既定操作に基づく表示例を示す図
【発明を実施するための形態】
【０００９】
以下、本発明に係る携帯端末の一実施形態としての携帯電話機について説明する。
≪実施の形態≫
＜１．概要＞
実施の形態に係る携帯電話機は、既定操作が行われた場合に、その既定操作に基づく処理を実行する非ロックモードと、その既定操作に基づく処理を実行しないロックモードとを切り替え可能な、いわゆるロック機能を有する従来の携帯電話機を改良したものである。なお、この携帯電話機では、このロック機能を有効にするか否かをユーザが設定することが可能であり、以下では、特に断らない限り、ロック機能が有効であるものとして説明する。
【００１０】
この携帯電話機は、ロックモードである場合において、既定操作が行われても、その既定操作に基づく処理を実行しないが、その既定操作が行われた時から一定時間以内にロックモードから非ロックモードへの切替操作が行われたときに、その既定操作に基づく処理を実行する。
即ち、この携帯電話機は、ロックモードである場合に行われた既定操作に基づく処理をユーザが、ロックモードから非ロックモードへの切替操作を行ったときに実行することができる。
【００１１】
従って、この携帯電話機によれば、ユーザは、非ロックモードに切り替えた後に、再度、既定操作を行う必要がなくなるので、ロックモードである場合に行われた既定操作に基づく処理をより迅速に実行できる。
なお、この携帯電話機は、ロック機能が有効である場合において、ユーザの切替操作により、ロックモードから非ロックモードへと切り替えた後、一定時間以上ユーザ操作がないときには、再びロックモードへと切り替えるものとする。
【００１２】
＜２．装置構成＞
まず、実施の形態に係る携帯電話機１００の装置構成について説明する。
図１（ａ）は、携帯電話機１００の開状態の外観を示す斜視図であり、図１（ｂ）は、携帯電話機１００の閉状態の外観を示す斜視図である。
図１（ａ）及び（ｂ）に示すように、携帯電話機１００は、第１筐体１と第２筐体２からなる、いわゆる折りたたみ式の端末である。
【００１３】
第１筐体１には、レシーバ３、第１ディスプレイ（メインディスプレイ）１１０及び第２ディスプレイ（サブディスプレイ）１２０が備えられており、第２筐体２には、マイク４、サイドキー群５（サイドキー５ａ〜５ｃ）及びテンキーを含むキー群６が備えられている。
図１（ｂ）に示すように、第２ディスプレイ１２０は視認できるものの、第１ディスプレイ１１０は視認できない閉状態から、ユーザが、第１筐体１を開くことで、図１（ａ）に示すように、第１ディスプレイ１１０が視認できる開状態へと変化することになる。
【００１４】
なお、この例では、図１（ａ）及び（ｂ）に示すように、第１ディスプレイ１１０の表示面積は、第２ディスプレイ１２０の表示面積より大きいものとする。
＜３．ユーザインタフェース仕様＞
次に、図２及び図３を用いて、携帯電話機１００のユーザインタフェース仕様を説明する。
【００１５】
また、図２（ａ）は、携帯電話機１００が閉状態かつ非ロックモードである場合に、ユーザが既定操作を行う様子を示す図である。
同図では、既定操作として、ユーザが、サイドキー５ａを押下した結果、この例では、携帯電話機１００は、非ロックモードであるため、このサイドキー５ａの押下に基づく処理として、第２ディスプレイ１２０に、Ｅメールの新着情報のメッセージＭ１を表示する。
【００１６】
この例では、第２ディスプレイ１２０の表示面積は比較的小さいことから、Ｅメールの新着情報を効率よく表示するために、メッセージＭ１は、Ｅメールの新着情報であることを示すＭ１ａと、新着件数を示すＭ１ｂとから構成されている。即ち、このメッセージＭ１は、Ｅメールの新着件数が２件であることを示している。
また、図２（ｂ）は、携帯電話機１００が閉状態かつロックモードである場合に、ユーザが既定操作を行う様子を示す図である。
【００１７】
同図では、既定操作として、ユーザが、サイドキー５ａを押下するものの、この例では、携帯電話機１００は、ロックモードであるため、第２ディスプレイ１２０に“ロック中”とのメッセージＭ２を表示し、サイドキー５ａの押下に基づく処理は実行しない。
このメッセージＭ２を見たユーザが、ロックモードから非ロックモードへと切り替えようと、携帯電話機１００の各筐体の相対位置を閉状態から開状態へと変更する操作を行うと、携帯電話機１００は、開状態で視認可能な第１ディスプレイ１１０に、図３（ａ）に示すように、“ロックＮｏ．は？”とのメッセージＭ３を表示する。
【００１８】
ここで、このメッセージＭ３に従って、図２（ｂ）でのサイドキー５ａの押下から、一定時間（例えば、「５秒」とする）以内に、予め登録してあるロックＮｏ．（認証情報）と同じものをユーザがキー群６を用いて入力すると、携帯電話機１００は、非ロックモードへの切り替えを行う。そして、図３（ｂ）に示すように、図２（ｂ）でのサイドキー５ａの押下に基づく処理として、電話、Ｅメール及びＣメールの新着情報のメッセージＭ４を第２ディスプレイ１２０より表示面積の大きい第１ディスプレイ１１０に表示する。
【００１９】
このメッセージＭ４は、図２（ａ）に示すメッセージＭ１を比較して、Ｅメールの新着情報の表示態様が異なり、かつＥメールの新着情報の他に、これに関連する情報として、電話とＣメールの新着情報が含まれている。
このように、携帯電話機１００は、ロックモードで既定操作が行われた場合において、その既定操作が行われた時から一定時間以内にロックモードから非ロックモードへの切替操作が行われたときに、その既定操作に基づく処理を実行するため、ユーザは、切替操作後に再度の既定操作を行わすに済むようになる。
【００２０】
また、非ロックモードで行われた既定操作に基づく処理結果として表示する情報（図２（ａ）のメッセージＭ１参照）と比較し、この切替操作後の既定操作に基づく処理結果として、第２ディスプレイより表示面積の大きい第１ディスプレイに表示する情報（図３（ｂ）のメッセージＭ４参照）には、関連する情報まで含めることができる。
従って、携帯電話機１００によれば、利便性を向上させることができる。
【００２１】
＜４．機能構成＞
図４は、携帯電話機１００の主要部の機能構成を示すブロック図である。
携帯電話機１００は、同図に示すように、サイドキー群５、キー群６、第１ディスプレイ１１０、第２ディスプレイ１２０、記憶部１３０、開閉検出センサ１４０、計時部１５０、制御部１６０及び実行部１７０を備える。
【００２２】
なお、携帯電話機１００は、プロセッサ及びメモリを含んで構成されており、制御部１６０及び実行部１７０の機能は、メモリに記憶されているプログラムをプロセッサが実行することにより実現される。
ここで、サイドキー群５及びキー群６は、ユーザにより押下されたキーに対応する入力信号を制御部１６０に送出する機能を有する。
【００２３】
第１ディスプレイ１１０及び第２ディスプレイ１２０は、液晶ディスプレイ（ＬＣＤ：Liquid Crystal Display）を含み、制御部１６０の指示に応じて、文字等を表示する機能を有する。
記憶部１３０は、モード情報１０、状態情報２０及びロックＮｏ.情報３０を記憶するためのメモリ領域である。
【００２４】
ここで、モード情報１０は、携帯電話機１００の現在のモード（ロックモード又は非ロックモード）を示す情報であり、状態情報２０は、携帯電話機の現在の開閉状態を示す情報である。また、ロックＮｏ．情報３０は、ユーザにより予め設定された認証情報（例えば、数桁の数字）であり、ロックモードから非ロックモードに切り替えようしているユーザの認証に用いられる。
【００２５】
また、開閉検出センサ１４０は、携帯電話機１００の開閉状態を検出する機能を有する。開閉検出センサ１４０は、例えば、閉状態において接触する第１筐体１の主表面上の位置と第２筐体２の主表面の位置との一方の位置に埋め込まれた磁石と、その磁力を検出する他方の位置に埋め込まれたホールセンサとにより実現される。ホールセンサは、磁力の検出時に、検出したことを示す所定信号を制御部１６０に出力する。なお、ここでは、第１筐体１の第１ディスプレイ１１０が配置されている面を「第１筐体１の主表面」と表現し、第２筐体２のキー群６が配置されている面を「第２筐体２の主表面」と表現している。
【００２６】
計時部１５０は、制御部１６０から指定された時間（第１時間及び第２時間）を計時する機能を有し、例えば、第１時間及び第２時間それぞれが設定された２つのタイマやカウンタにより実現される。計時部１５０は指定された時間の計時を完了すると、その旨を制御部１６０に通知する。なお、第１時間は、例えば「５秒」であるものとし、第２時間は、例えば「１０秒」であるものとする。
【００２７】
また、制御部１６０は、携帯電話機１００の開閉状態やユーザ操作を検出する機能、表示制御機能及びロックＮｏ．の認証機能を有し、検出部１６１、状態判定部１６２、表示制御部１６３及び認証部１６４を含んで構成される。
ここで、検出部１６１は、サイドキー群５及びキー群６からの入力信号に基づいて、ユーザによるキーの押下を検出し、押下されたキーを特定する情報を含む通知を実行部１７０に行う機能を有する。
【００２８】
状態判定部１６２は、開閉検出センサ１４０から信号の有無に基づいて、携帯電話機１００の開閉状態を判定し、判定結果が変化した場合に、変化後の使用状態を示すように、記憶部１３０の状態情報２０を更新する機能を有する。
表示制御部１６３は、実行部１７０の指示に従って、実行部１７０の処理結果に応じた画面を、第１ディスプレイ１１０及び第２ディスプレイ１２０に表示させる機能を有する。
【００２９】
認証部１６４は、実行部１７０の指示に従って、ユーザから入力されたロックＮｏ．と記憶部１３０に予め記憶されているロックＮｏ．情報３０とを照合し、照合結果を実行部１７０に通知する機能を有する。
実行部１７０は、サイドキーが押下された際の携帯電話機１００のモード（ロックモード又は非ロックモード）及びロックモードから非ロックモードへの切替操作の有無に基づいて、押下されたサイドキーに基づく処理の実行を制御する機能を有する。
【００３０】
実行部１７０は、特に、非ロックモードである場合においてサイドキーが押下されたときに、すぐにはそのサイドキーに基づく処理を実行せずに、その処理を、そのサイドキーの押下から第１時間以内に、ロックモードから非ロックモードへの切替操作が行われるのを待って実行する。
なお、この例では、ロックモードから非ロックモードへの切替操作とは、携帯電話機１００の各筐体の相対位置を閉状態から開状態へと変更する操作と、その操作の後に、予め記憶部１３０に記憶されているロックＮｏ．情報３０が示すロックＮｏ．と同一のロックＮｏ．を入力する操作のことをいうものとする。
【００３１】
＜５．動作＞
上記構成を備える携帯電話機１００の動作について、図５〜図７を用いて説明する。
＜５−１．実行制御処理＞
まず、実行部１７０による実行制御処理について説明する。
図５及び図６は、実行部１７０による実行制御処理を示すフローチャートである。
【００３２】
同図に示す実行制御処理は、携帯電話機１００の電源がＯＮになると開始され、特に図示していないが、電源がＯＦＦになると終了される。
なお、この実行制御処理とは独立した処理として、開閉検出センサ１４０から出力された信号に基づいて、携帯電話機１００の現在の使用状態を示すように、記憶部１３０の状態情報を更新する処理が、状態判定部１６２により行われる。
【００３３】
まず、実行部１７０は、制御部１６０から、検出部１６１がいずれかのサイドキーの押下を検出した旨の通知を受領したか否かを判定し（図５のステップＳ１）、通知を受領していない間（ステップＳ１：ＮＯ）、ステップＳ１の処理を繰り返し行う。
また、いずれかのサイドキーの押下を検出した旨の通知を受領した場合に（ステップＳ１：ＹＥＳ）、実行部１７０は、計時部１５０に第１時間（この例では、「５秒」）の計時を開始させ（ステップＳ２）、記憶部１３０のモード情報１０を参照し、現在のモードがロックモードであるか否かを判定する（ステップＳ３）。
【００３４】
モード情報１０が非ロックモードを示す場合に、実行部１７０は、現在のモードがロックモードでないと判定し（ステップＳ３：ＮＯ）、記憶部１３０の状態情報２０を参照し、現在の開閉状態が閉状態であるか否かを判定する（ステップＳ４）。
状態情報２０が閉状態を示す場合に、実行部１７０は、現在の開閉状態が閉状態であると判定し（ステップＳ４：ＹＥＳ）、ステップＳ１の通知に係る押下が検出されたサイドキーに基づく処理を実行し、制御部１６０の表示制御部１６３を介して、処理結果を第２ディスプレイ１２０に表示させる（ステップＳ５）。
【００３５】
例えば、ステップＳ１で、サイドキー５ａの押下が通知された場合には、実行部１７０は、その時点でのＥメールの新着件数を示すＥメールの新着情報のメッセージ（図２（ａ）のメッセージＭ１参照）を、表示制御部１６３を介して、第２ディスプレイ１２０に表示させる。
また、状態情報２０が開状態を示す場合に、実行部１７０は、現在の開閉状態が閉状態でないと判定し（ステップＳ４：ＮＯ）、ステップＳ１の通知に係る押下が検出されたサイドキーに基づく処理を実行し、処理結果を第１ディスプレイ１１０に表示する（図６のステップＳ１６）。
【００３６】
例えば、ステップＳ１で、サイドキー５ａの押下が通知された場合には、実行部１７０は、その時点での電話、Ｅメール及びＣメールの新着件数を示す電話、Ｅメール及びＣメールの新着情報のメッセージ（図２（ｂ）のメッセージＭ４参照）を、表示制御部１６３を介して、第１ディスプレイ１１０に表示させる。
また、実行部１７０は、計時部１５０に第２時間（この例では、「１０秒」）の計時を開始させ（ステップＳ１７）、制御部１６０から、検出部１６１が、キー群６及びサイドキー群５のうちのいずれかのキーの押下を検出した旨の通知を受領したか否かを判定する（ステップＳ１８）。
【００３７】
通知を受領していない場合には（ステップＳ１８：ＮＯ）、実行部１７０は、ステップＳ１６での計時の開始から第２時間を経過したかを判定する（ステップＳ１９）。
計時部１５０から通知がない場合に、実行部１７０は、第２時間を経過していないと判定し（ステップＳ１９：ＮＯ）、ステップＳ１８から再び処理を行う。
また、計時部１５０から通知があった場合に、実行部１７０は、第２時間を経過したと判定し（ステップＳ１９：ＹＥＳ）、記憶部１３０のモード情報１０を、ロックモードを示すように更新し（ステップＳ２０）、実行部１７０は、図５のステップＳ１から再び処理を行う。
【００３８】
また、ステップＳ１８で通知を受領した場合には（ステップＳ１８：ＹＥＳ）、実行部１７０は、その通知がいずれかのサイドキーの押下を検出した旨の通知か否かを判定する（ステップＳ２１）。
実行部１７０は、サイドキー以外のキーの押下を検出した旨の通知である場合には（ステップＳ２１：ＮＯ）、ステップＳ１７から再び処理を行い、サイドキーの押下を検出した旨の通知である場合には（ステップＳ２１：ＹＥＳ）、図５のステップＳ２から再び処理を行う。
【００３９】
一方、ステップＳ３において、モード情報１０がロックモードを示す場合に、実行部１７０は、現在のモードがロックモードであると判定し（ステップＳ３：ＹＥＳ）、ステップＳ４の処理と同様に、現在の開閉状態が閉状態であるか否かを判定する（ステップＳ６）。
実行部１７０は、現在の開閉状態が閉状態でないと判定した場合に（ステップＳ６：ＮＯ）、表示制御部１６３を介して、第１ディスプレイ１１０に、“ロック中”とのメッセージを表示させ（ステップＳ７）、後述するステップＳ１１の処理に進む。
【００４０】
また、実行部１７０は、現在の開閉状態が閉状態であると判定した場合に（ステップＳ６：ＹＥＳ）、表示制御部１６３を介して、第２ディスプレイ１２０に、“ロック中”とのメッセージＭ２（図２（ｂ）参照）を表示させる（ステップＳ８）。
続いて、実行部１７０は、記憶部１３０の状態情報２０を参照し、現在の開閉状態が開状態であるか否かを判定する（ステップＳ９）。
【００４１】
現在の開閉状態が開状態でないと判定した場合（ステップＳ９：ＮＯ）、実行部１７０は、ステップＳ２での計時の開始から第１時間を経過したかを判定する（ステップＳ１０）。
第１時間を経過していないと判定した場合に（ステップＳ１０：ＮＯ）、実行部１７０は、ステップＳ９から再び処理を行い、第１時間を経過したと判定した場合に（ステップＳ１０：ＹＥＳ）、実行部１７０は、特に処理を行わず、再びステップＳ１から処理を行う。
【００４２】
また、ステップＳ９において、現在の開閉状態が開状態である場合（ステップＳ９：ＹＥＳ）、実行部１７０は、表示制御部１６３を介して、第１ディスプレイ１１０に、“ロックＮｏ．は？”とのメッセージＭ３（図３（ａ）参照）を表示させ（ステップＳ１１）、制御部１６０に、ユーザにより入力されるロックＮｏ．についての認証処理を指示する（ステップＳ１２）。なお、この制御部１６０による認証処理の詳細は、後述する（図７参照）。
【００４３】
実行部１７０は、制御部１６０から認証結果を受領し、その認証結果が、ユーザにより入力されたロックＮｏ．と記憶部１３０のロックＮｏ．情報３０とが一致することを示すか否かを判定する（ステップＳ１３）。
認証結果が一致しないことを示す場合に（ステップＳ１３：ＮＯ）、実行部１７０は、表示制御部１６３を介して、第１ディスプレイ１１０に、“ロックＮｏ．が違います”とのメッセージを表示させ（ステップＳ１４）、再びステップＳ１から処理を行う。
【００４４】
また、認証結果が一致することを示す場合に（ステップＳ１３：ＹＥＳ）、実行部１７０は、記憶部１３０のモード情報１０を、非ロックモードを示すように更新し（ステップＳ１５）、ステップＳ１の通知に係る押下が検出されたサイドキーに基づく処理を実行し、処理結果を第１ディスプレイ１１０に表示する（ステップＳ１６）。以降、制御部１６０は、上述したようにステップＳ１７〜Ｓ２１の処理を行い、再びステップＳ１から処理を行う。
【００４５】
＜５．２  認証処理＞
続いて、制御部１６０による認証処理について説明する。
図７は、制御部１６０による認証処理を示すフローチャートである。
制御部１６０は、上記実行制御処理のステップＳ１２で実行部１７０から指示を受けると、認証処理を開始し、検出部１６１は、キー群６からの信号に基づいて、ロックＮｏ．の入力がなされたか否かを判定する（ステップＳ２２）。
【００４６】
検出部１６１は、ロックＮｏ．の入力がなされない間（ステップＳ２２：ＮＯ）、ステップＳ２２の処理を繰り返し行い、ロックＮｏ．の入力がなされた場合に（ステップＳ１２：ＹＥＳ）、認証部１６４は、入力されたロックＮｏ．と記憶部１３０のロックＮｏ．情報３０が示すロックＮｏ．とを照合する（ステップＳ２３）。
入力されたロックＮｏ．と記憶部１３０のロックＮｏ．情報３０が示すロックＮｏ．とが一致する場合に（ステップＳ２３：ＹＥＳ）、制御部１６０は、一致した旨の認証結果を、実行部１７０に送出し（ステップＳ２４）、認証処理を終了する。
【００４７】
また、入力されたロックＮｏ．と記憶部１３０のロックＮｏ．情報３０が示すロックＮｏ．とが一致しない場合に（ステップＳ２３：ＮＯ）、制御部１６０は、一致しなかった旨の認証結果を、実行部１７０に送出し（ステップＳ２５）、認証処理を終了する。
≪補足≫
以上、本発明に係る携帯端末を、実施の形態に基づいて説明したが、以下のように変形することも可能であり、本発明は上述した実施の形態で示した通りの携帯電話機に限られないことは勿論である。
【００４８】
（１）実施の形態では、ロックモードから非ロックモードへの切替操作の一例として、携帯電話機１００の各筐体の相対位置を閉状態から開状態へと変更する操作と、その操作の後に、予め記憶部１３０に記憶されているロックＮｏ．情報３０が示すロックＮｏ．と同一のロックＮｏ．を入力する操作とからなる一連の操作を説明した。
しかしながら、ロックモードから非ロックモードへの切替操作は、実施の形態で説明した一連の操作に限らず、例えば、各筐体の相対位置を閉状態から開状態へと変更する操作のみであってもよいし、実施の形態で説明した操作以外の他の操作（例えば、サイドキーの長押し操作）であってもよい。
【００４９】
（２）実施の形態に係る携帯電話機１００は、折りたたみ式の携帯電話機であるものとして説明したが、スライド式の携帯電話機やストレート型の携帯電話機等、他の外観を有する携帯電話機であってもよい。
また、実施の形態に係る携帯電話機１００は、２つのディスプレイを備えるものとして説明したが、１つのディスプレイのみを備えるものであってもよい。
【００５０】
以下では、携帯電話機１００を１つのディスプレイのみを備えるスライド式の端末に変形した例を説明する。
図８（ａ）は、携帯電話機２００の閉状態の外観を示す斜視図であり、図８（ｂ）は、携帯電話機２００の開状態の外観を示す斜視図である。
図８（ａ）及び（ｂ）に示すように、携帯電話機２００は、第１筐体２０１と第２筐体２０２からなる、いわゆるスライド式の端末である。
【００５１】
第１筐体２０１には、ディスプレイ２１０及び第１キー群６ａが備えられており、第２筐体２０２には、第２キー群６ｂとサイドキー５ｄ及び５ｂが備えられている。
ディスプレイ２１０は、図８（ａ）に示す閉状態においても、図８（ｂ）に示す開状態においても視認することができる。
この携帯電話機２００は、図８（ａ）に示す閉状態でかつロックモードである場合において、ユーザがいずれかのサイドキー（５ｄ又は５ｅ）を押下したときには、この押下されたサイドキーに基づく処理を実行しない。そして、ディスプレイ２１０に、図２（ｂ）のメッセージＭ２と同様の“ロック中”とのメッセージを表示させる。
【００５２】
このサイドキーの押下から、第１時間以内に、ユーザが、図８（ｂ）に示す開状態へと各筐体の相対位置を変更させる操作を行った場合には、ディスプレイ２１０に、図３（ａ）のメッセージＭ３と同様の“ロックＮｏ．は？”とのメッセージを表示させる。
そして、ユーザが、上記サイドキーの押下から、第１時間以内に、第１キー群６ａ及び第２キー群６ｂを用いてロックＮｏ．を入力した場合には、押下された上記サイドキーに基づく処理を実行する。即ち、例えば、図３（ｂ）のメッセージＭ４と同様の電話、Ｅメール及びＣメールの新着情報のメッセージをディスプレイ２１０に表示させる。
【００５３】
また、実施の形態では、既定操作の一例として、サイドキーの押下操作を説明したが、既定操作は、サイドキー以外のキーの押下操作であってもよい。
例えば、図８（ａ）に示す携帯電話機２００において、第１キー群６ａのうちのいずれかのキーの押下を、既定操作としてもよい。
また、例えば、実施の形態に係る携帯電話機１００の第２ディスプレイ１２０を、タッチパネルに変更し、このタッチパネルへの接触を、既定操作としてもよい。また、この第２ディスプレイ１２０の変形に加え、又は第２ディスプレイ１２０はタッチパネルに変更することなく、携帯電話機１００の第１ディスプレイ１１０をタッチパネルに変更してもよい。また、上記第２ディスプレイ１２０及び第１ディスプレイ１１０の変形に加え、又は第２ディスプレイ１２０及び第１ディスプレイ１１０の一方若しくは両方をタッチパネルに変更することなく、携帯電話機１００のキー群６（ハードウェアキー）をタッチパネル上に表示されたキー群（ソフトウェアキー）に変更してもよい。
【００５４】
（３）実施の形態では、ロックモードから非ロックモードへの切替操作が行われた場合において、その第１時間前までに、１回の既定操作のみが行われていることを前提に説明した。しかしながら、切替操作が行われた時からその第１時間前までに、複数回の既定操作が行われている場合には、その全ての既定操作に基づく処理を実行してもよいし、最後に行われた既定操作に基づく処理のみを実行してもよい。
【００５５】
（４）実施の形態では、非ロックモードかつ既定操作が行われた場合に、所定情報の表示として、Ｅメールの新着情報のメッセージＭ１の表示（図２（ａ）参照）を、第２ディスプレイ１２０に行うものとして説明した。また、実施の形態では、ロックモードにおいて既定操作が行われた場合において、ロックモードから非ロックモードへの切替操作が行われたときに、所定情報の表示として、電話、Ｅメール及びＣメールの新着情報のメッセージＭ４の表示（図３（ｂ）参照）を、第１ディスプレイ１１０に行うものとして説明した。
【００５６】
しかしながら、図２（ａ）に示すＥメールの新着情報のメッセージＭ１に代えて、図９（ａ）に示す電話、Ｅメール及びＣメールの新着情報のメッセージＭ５の表示を行うようにしてもよい。なお、メッセージＭ５は、１件の電話と、２件のＥメールと、１件のＣメールの新着があることを示している。
即ち、非ロックモードにおいて既定操作が行われた場合に行う第２ディスプレイ１２０への所定情報の表示と、ロックモードにおいて既定操作が行われた場合において、ロックモードから非ロックモードへの切替操作が行われたときに行う第１ディスプレイ１１０への所定情報の表示とが異なる態様で行われるようにしてもよい。
【００５７】
また、図２（ａ）に示すＥメールの新着情報のメッセージＭ１の表示に代えて、図９（ｂ）に示すＥメールの新着情報のメッセージＭ６の表示を行うようにしてもよい。
即ち、非ロックモードにおいて既定操作が行われた場合には、第２ディスプレイ１２０へ所定情報の表示を行い、ロックモードにおいて既定操作が行われた場合において、ロックモードから非ロックモードへの切替操作が行われたときには、第１ディスプレイ１１０へ所定情報（図３（ｂ）の例では、Ｅメールの新着情報）と、その所定情報に関連する情報（図３（ｂ）の例では、電話及びＣメールの新着情報）との表示を行うようにしてもよい。
【００５８】
また、実施の形態及び本変形例では、既定操作に基づく処理として所定情報の表示を行うものとして説明したが、予め設定されているその他の処理、例えば、予め設定された電話番号への発呼処理や各種機能の起動処理（例えば、メール、ブラウザ、内蔵カメラ等の起動処理）等を行うようにしてもよい。
（５）実施の形態では、図７に示す認証処理において、ロックＮｏ．の入力があるまで、ステップＳ２２の処理を繰り返すものとして説明したが、ステップＳ２２の処理を最初に行ってから所定時間経過時に認証処理を終了するようしてもよい。
【００５９】
この場合に、実行部１７０による実行制御処理（図５参照）のステップＳ１３を、ステップＳ１２の処理を実行後、所定時間以内に認証結果を受領しなかった場合には、ユーザにより入力されたロックＮｏ．と記憶部１３０のロックＮｏ．情報３０とが一致しなかった場合（ステップＳ１３：ＮＯ）と同様に、ステップＳ１４の処理を実行するように変形してもよい。
【００６０】
（６）実施の形態では、一例として、第１時間は「５秒」であり、第２時間は「１０秒」であるものとして説明したが、これらの時間は適宜変更可能であり、例えば、ユーザがこれらの時間を設定できるようにしてもよい。
（７）実施の形態では、各ディスプレイ（１１０、１２０）の形状は、略矩形状であるとして説明したが、例えば、円形状、その他多角形状であってもよく、また、各ディスプレイのＬＣＤの画素数は同一であってもよいし、第１ディスプレイ１１０よりも第２ディスプレイ１２０の画素数の方が多くてもよい。即ち、実施の形態では、第１ディスプレイ１１０の表示面積のほうが、第２ディスプレイ１２０の表示面積より大きいものとして説明したが、第２ディスプレイ１２０の表示面積のほうが大きくてもよい。
【００６１】
各ディスプレイ（１１０及び１２０）は、ＬＣＤを含むものとして説明したが、有機ＥＬ（Electro-Luminescence）等を含むようにしてもよい。
（８）実施の形態において説明した各構成要素のうち、全部又は一部を１チップ又は複数チップの集積回路で実現してもよいし、コンピュータのプログラムで実現してもよいし、その他どのような形態で実現してもよい。
【００６２】
また、実施の形態において説明した各構成要素は、携帯電話機１００が有するプロセッサと協働することにより、その機能を実現する。
（９）実施の形態において説明した携帯電話機１００の実行制御処理（図５及び図６参照）及び認証処理（図７参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機１００の各機能が実現される。
【００６３】
（１０）実施の形態に係る携帯電話機１００に、上記（１）〜（９）の一部又は全部の変形を組み合わせて適用してもよい。
（１１）以下、更に本発明の一実施形態に係る携帯端末の構成及びその変形例と各効果について説明する。
（ａ）本発明の一実施形態に係る携帯端末は、既定操作が行われた場合に、当該既定操作に基づく処理を実行する非ロックモードと、当該既定操作に基づく処理を実行しないロックモードとを、切り替えて動作可能な携帯端末であって、前記既定操作が行われたことの検出を行う検出部と、前記検出部による検出が行われた際に、自端末が前記ロックモードで動作している場合において、前記ロックモードから前記非ロックモードへの切替操作が行われたときに、当該検出が行われた既定操作に基づく処理を実行する実行部とを備える。
【００６４】
この携帯端末によれば、ユーザが既定操作を行った際に、ロックモードであり、既定操作に基づく処理が実行されなかった場合でも、ユーザがロックモードから非ロックモードへの切替操作を行うことで、その既定操作に基づく処理を実行することができる。
即ち、ユーザは、ロックモードから非ロックモードへの切替操作を行うだけで、非ロックモードに切り替えた後に、再度、既定操作を行うことなく、より迅速に既定操作に基づく処理を実行することができる。
【００６５】
（ｂ）また、前記携帯端末は、第１筐体及び第２筐体からなり、各筐体の相対位置が変更自在に構成されたものであり、前記ロックモードから前記非ロックモードへの切替操作は、各筐体の相対位置を変更する操作を含むこととしてもよい。
この携帯端末によれば、ユーザが既定操作を行った際に、ロックモードであり、既定操作に基づく処理が実行されなかった場合でも、各筺体の相対位置を変更するという比較的簡単な操作により、その既定操作に基づく処理を実行することができる。
【００６６】
（ｃ）また、前記携帯端末は、第１筺体に配置された第１ディスプレイを備え、前記各筺体の相対位置を変更する操作は、前記第１ディスプレイの少なくとも一部が遮蔽された閉状態から、前記第１ディスプレイの全体が露出された開状態へと、各筐体の相対位置を変更する操作であることとしてもよい。
この携帯端末によれば、このような開閉可能な携帯端末を使用する際に頻繁に行われる、閉状態から、第１ディスプレイ全体を露出させる開状態へと各筐体の相対位置を変更するという慣れ親しんだ操作をその既定操作に基づく処理を実行することができる。
【００６７】
（ｄ）また、前記携帯端末は、更に第２ディスプレイを備え、前記実行部は、更に前記非ロックモードにおいて、前記既定操作が行われた場合に、当該既定操作に基づく処理として、前記第２ディスプレイへの所定情報の表示を行い、前記検出が行われた既定操作に基づく処理として、前記所定情報の表示を、前記第２ディスプレイへの当該所定情報の表示とは異なる態様で、前記第１ディスプレイに行うこととしてもよい。
【００６８】
この携帯端末によれば、既定操作が行われた際のモード（非ロックモード又はロックモード）に応じて異なるディスプレイに異なる態様で所定情報の表示を行うことができる。
従って、この携帯端末によれば、例えば、所定情報の表示が行われる各ディスプレイのサイズに応じて、所定情報の表示を簡略化あるいは詳細化して表示させるようなことが可能になる。
【００６９】
（ｅ）また、前記携帯端末は、更に前記第２筐体に配置された第２ディスプレイを備え、前記第１ディスプレイの表示面積は、前記第２ディスプレイの表示面積より大きく、前記実行部は、更に前記非ロックモードにおいて、前記既定操作が行われた場合に、当該既定操作に基づく処理として、前記第２ディスプレイへの所定情報の表示を行い、前記検出が行われた既定操作に基づく処理として、前記所定情報及び当該所定情報に関連する情報の表示を、前記第１ディスプレイに行うこととしてもよい。
【００７０】
この携帯端末によれば、非ロックモードにおいて既定操作が行われた場合には、所定情報を第２ディスプレイに表示させ、ロックモードにおいて既定操作が行われた場合には、非ロックモードに切り替えされた後に、より表示面積の大きい第１ディスプレイを用いて、所定情報だけでなく、関連する情報も表示させることができる。
従って、この携帯端末によれば、ユーザは、既定操作を行うだけで、別途の操作を行うことなく、所定情報に関連する情報を、所定情報と共に参照することができるので、利便性を向上させることができる。
【００７１】
（ｆ）また、前記ロックモードから前記非ロックモードへの切替操作は、前記閉状態から前記開状態への各筺体の相対位置を変更する操作の後に、予め設定されている認証情報と同一の認証情報を入力する操作を含むこととしてもよい。
この携帯端末は、ロックモードにおいて既定操作が行われた場合において、閉状態から開状態へと各筐体の相対位置を変更する操作が行われた後に、予め設定された認証情報と同一の認証情報が入力されたときに、はじめてこの既定操作に基づく処理を実行する。
【００７２】
従って、この携帯端末によれば、この携帯端末のユーザ以外の者による既定操作に基づく処理の実行を適切に防止することができる。
（ｇ）また、前記実行部は、前記検出部による検出が行われた際に、自端末が前記ロックモードで動作している場合において、当該検出から一定時間以内に前記ロックモードから前記非ロックモードへの切替操作が行われたときに限り、当該検出が行われた既定操作に基づく処理を実行し、前記ロックモードから前記非ロックモードへの切替操作が行われた場合において、当該切替操作から前記一定時間前までに、前記検出部による検出が複数回行われているときには、最後に検出が行われた既定操作に基づく処理を実行することとしてもよい。
【００７３】
この携帯端末によれば、ユーザが既定操作を行った際に、ロックモードであり、その既定操作から一定時間より長い時間を経過した後に、ユーザがロックモードから非ロックモードへの切替操作を行ったときに、既定操作に基づく処理が実行されることを適切に防ぐことができる。
また、この携帯端末によれば、例えば、ユーザが、ロックモードであることにすぐには気づかず、複数回既定操作を行ってしまった場合でも、最後に行った既定操作に基づく処理を実行することができるので、既定操作に基づく処理が複数回実行されてしまうことを適切に防止できる。
【産業上の利用可能性】
【００７４】
本発明に係る携帯端末は、既定操作が行われた場合に、その既定操作に基づく処理を実行する非ロックモードと、その既定操作に基づく処理を実行しないロックモードとを切り替えて動作させる場合に利用される。
【符号の説明】
【００７５】
１、２０１    第１筺体
２、２０２    第２筺体
３    レシーバ
４    マイク
５    サイドキー群
５ａ〜５ｅ    サイドキー
６    キー群
６ａ    第１キー群
６ｂ    第２キー群
１００、２００    携帯電話機
１１０    第１ディスプレイ
１２０    第２ディスプレイ
１３０    記憶部
１４０    開閉検出センサ
１５０    計時部
１６０    制御部
１６１    検出部
１６２    状態判定部
１６３    表示制御部
１６４    認証部
１７０    実行部
２１０    ディスプレイ
【図１】
0005902898.tif 000002
【図２】
0005902898.tif 000003
【図３】
0005902898.tif 000004
【図４】
0005902898.tif 000005
【図５】
0005902898.tif 000006
【図６】
0005902898.tif 000007
【図７】
0005902898.tif 000008
【図８】
0005902898.tif 000009
【図９】
0005902898.tif 000010